(57)【特許請求の範囲】
【請求項１】
表示画面を有した表示装置と、
水平面上に置かれた場合に当該水平面と接触する部分を有し、前記表示装置を支持した支持部と、
前記支持部と接続されるとともに、前記支持部が前記水平面上に置かれた場合に、当該水平面から離間して位置され、前記表示装置を前記水平面と交叉する方向に沿った軸回りに回動可能に支持した回動支持部と、
を備え、
前記水平面上に置かれた場合に前記支持部が当該水平面と接触する部分は、当該水平面と直交する視線で前記回動支持部とは外れて位置された、映像表示装置。
【請求項２】
前記水平面上に置かれた場合に前記支持部が当該水平面と接触する部分は、前記表示装置の前方側と後方側とに設けられた、請求項１に記載の映像表示装置。
【請求項３】
前記水平面上に置かれた場合に前記支持部が当該水平面と接触する部分は、前記表示装置の前方側と後方側とに亘って設けられた、請求項１に記載の映像表示装置。
【請求項４】
前記回動支持部の少なくとも一部と前記水平面との間の空間が、前記表示装置の前方側と後方側とに亘って貫通した、請求項１〜３のうちいずれか一つに記載の映像表示装置。
【請求項５】
前記回動支持部の少なくとも一部と前記水平面との間の空間が、前記表示装置に対する正面視での左右方向の一方側と他方側とに亘って貫通した、請求項１〜４のうちいずれか一つに記載の映像表示装置。
【請求項６】
前記支持部が前記水平面上に置かれた場合に当該水平面と直交する視線で開口された開口部を有した、請求項１〜５のうちいずれか一つに記載の映像表示装置。
【請求項７】
前記開口部は、前記表示装置の前方側と後方側とに亘って開口された、請求項６に記載の映像表示装置。
【請求項８】
前記開口部は、前記表示装置に対する正面視で左右方向の一方側と他方側とにそれぞれ設けられた、請求項６または７に記載の映像表示装置。
【請求項９】
前記支持部は、前記水平面上に置かれた場合に当該水平面に沿って線状または帯状に延びた部分を有した、請求項１〜８のうちいずれか一つに記載の映像表示装置。
【請求項１０】
表示画面を有した表示装置と、
水平面上に置かれた場合に当該水平面と接触する部分を有し、前記表示装置を支持した支持部と、
前記支持部と接続されるとともに、前記支持部が前記水平面上に置かれた場合に、当該水平面から離間して位置され、前記表示装置を回動可能に支持した回動支持部と、
を備え、
前記支持部が、前記水平面上に置かれた場合に当該水平面と直交する視線で前記表示装置の前方側と後方側とに亘って開口された開口部を有した、映像表示装置。 
【発明の詳細な説明】
【技術分野】
【０００１】
本発明の実施形態は、映像表示装置に関する。
【背景技術】
【０００２】
従来、表示装置を回動可能に支持した回動支持部を備えた映像表示装置が知られている。
【先行技術文献】
【特許文献】
【０００３】
【特許文献１】特開２００８−１３６１６０号公報
【発明の概要】
【発明が解決しようとする課題】
【０００４】
この種の映像表示装置では、回動支持部をより上方に位置させることが望まれる場合がある。
【０００５】
そこで、本発明の実施形態は、より不都合の少ない状態で回動支持部をより上方に位置させることが可能な映像表示装置を得ることを目的の一つとする。
【課題を解決するための手段】
【０００６】
本発明の実施形態にかかる映像表示装置は、表示装置と、支持部と、回動支持部と、を備えた。表示装置は、表示画面を有した。支持部は、水平面上に置かれた場合に当該水平面と接触する部分を有し、表示装置を支持した。回動支持部は、支持部と接続されるとともに、支持部が水平面上に置かれた場合に、当該水平面から離間して位置され、表示装置を水平面と交叉する方向に沿った軸回りに回動可能に支持した。水平面上に置かれた場合に支持部が当該水平面と接触する部分は、当該水平面と直交する視線で回動支持部とは外れて位置された。
【図面の簡単な説明】
【０００７】
【図１】図１は、実施形態にかかる映像表示装置の一例の前面側を見た斜視図である。
【図２】図２は、実施形態にかかる映像表示装置の一例の後面側を見た斜視図である。
【図３】図３は、実施形態にかかる映像表示装置の一例の前面図である。
【図４】図４は、実施形態にかかる映像表示装置の一例の後面図である。
【図５】図５は、実施形態にかかる映像表示装置の一例の上面図である。
【図６】図６は、実施形態にかかる映像表示装置の一例の下面図である。
【図７】図７は、実施形態にかかる映像表示装置の一例の側面図である。
【図８】図８は、図３のVIII−VIII断面図である。
【図９】図９は、実施形態にかかる複数の映像表示装置の一例を前後方向に重ねて配置した状態を示す図である。
【図１０】図１０は、実施形態にかかる映像表示装置に含まれるスタンドの一例を前面側から見た斜視図である。
【図１１】図１１は、実施形態にかかる映像表示装置に含まれるスタンドの一例を後面側から見た斜視図である。
【図１２】図１２は、実施形態にかかる映像表示装置に含まれるスタンドの一例の前面図である。
【図１３】図１３は、実施形態にかかる映像表示装置に含まれるスタンドの一例の後面図である。
【図１４】図１４は、実施形態にかかる映像表示装置に含まれるスタンドの一例の上面図である。
【図１５】図１５は、実施形態にかかる映像表示装置に含まれるスタンドの一例の下面図である。
【図１６】図１６は、実施形態にかかる映像表示装置に含まれるスタンドの一例の側面図である。
【図１７】図１７は、図１４のXVII−XVII断面図である。
【図１８】図１８は、実施形態にかかる映像表示装置に含まれるスタンドの一例を前面側から見た斜視図であって、支持部の第一部分および第二部分のうちの一つが仮に機能していない状態でも有効な支持部分の一例を示す図である。
【図１９】図１９は、実施形態にかかる映像表示装置に含まれるスタンドの一例を前面側から見た斜視図であって、支持部の第一部分および第二部分のうちの他の一つが仮に機能していない状態でも有効な支持部分の一例を示す図である。
【図２０】図２０は、実施形態にかかる映像表示装置に含まれるスタンドの一例を前面側から見た斜視図であって、支持部の第一部分および第二部分のうちの後面側の二つが仮に機能していない状態でも有効な支持部分の一例を示す図である。
【図２１】図２１は、実施形態にかかる映像表示装置に含まれるスタンドの一例を前面側から見た斜視図であって、支持部の第一部分および第二部分のうちの前面側の二つが仮に機能していない状態でも有効な支持部分の一例を示す図である。
【図２２】図２２は、実施形態の変形例にかかる映像表示装置のスタンドを模式的に示す平面図である。
【図２３】図２３は、実施形態の別の変形例にかかる映像表示装置のスタンドを模式的に示す平面図である。
【図２４】図２４は、実施形態のさらに別の変形例にかかる映像表示装置のスタンドを模式的に示す平面図である。
【図２５】図２５は、実施形態のさらに別の変形例にかかる映像表示装置のスタンドを模式的に示す平面図である。
【図２６】図２６は、実施形態のさらに別の変形例にかかる映像表示装置のスタンドを模式的に示す平面図である。
【図２７】図２７は、実施形態のさらに別の変形例にかかる映像表示装置のスタンドを模式的に示す平面図である。
【図２８】図２８は、実施形態のさらに別の変形例にかかる映像表示装置のスタンドを模式的に示す平面図である。
【図２９】図２９は、実施形態のさらに別の変形例にかかる映像表示装置のスタンドを模式的に示す平面図である。
【図３０】図３０は、実施形態のさらに別の変形例にかかる映像表示装置のスタンドを模式的に示す平面図である。
【発明を実施するための形態】
【０００８】
以下の複数の実施形態および変形例には、同様の構成要素が含まれている。以下では、それら同様の構成要素には共通の符号が付与され、重複する説明が省略される。また、以下の各図では、便宜上、方向が規定されている。筐体２の可動範囲の中央位置で、Ｘ方向は、表示画面に対する正面視（前面視）で右方（背面視（後面視）では左方）、Ｙ方向は、上方、Ｚ方向は、表示画面の法線方向（手前方向）である。
【０００９】
＜第１実施形態＞
図１〜９等に例示されるように、電子機器の一例としての映像表示装置１は、筐体２と、スタンド１０と、を備えている。筐体２は、スタンド１０に、回動可能に支持されている。本実施形態では、図５に示されるように、筐体２は、Ｙ方向に沿った回動軸Ａｘ（図５，７参照）回りの所定の可動範囲（角度範囲）内で、ＸＺ平面に沿って回動することができる。なお、図１〜９には、筐体２が可動範囲内の中間位置（中央位置）にある状態が示されている。
【００１０】
筐体２は、前面２ａおよび表示画面６ａに対する正面視（Ｚ方向からの視線）で矩形状（Ｘ方向に長くＹ方向に短い横長の長方形状）の外観を呈している。筐体２は、前後方向（Ｚ方向）に比較的薄い直方体状に形成されている。また、筐体２は、前面（表面）２ａを形成する前壁（表壁）２ｂ、後面（背面、裏面）２ｃを形成する後壁（背壁）２ｄ、上面２ｅを形成する上壁（上側の側壁、周壁）２ｆ、下面２ｇを形成する下壁（下側の側壁、周壁）２ｈ、および、側面（周面）２ｉを形成する側壁（右側および左側の側壁、周壁）２ｊを、有する。
【００１１】
前壁２ｂおよび後壁２ｄは、間隔をあけて並行して（平行に）設けられている。前壁２ｂには、矩形状（Ｘ方向に長くＹ方向に短い横長の長方形状）の開口部（第一開口部）２ｒが設けられている。また、上壁２ｆ、下壁２ｈ、および側壁２ｊ（周壁）は、前壁２ｂおよび後壁２ｄの間に亘って設けられ、前壁２ｂおよび後壁２ｄに交叉して（直交して、起立して）設けられている。前壁２ｂ、後壁２ｄ、上壁２ｆ、および下壁２ｈは、壁部の一例である。また、前壁２ｂは、第一壁部の一例であり、後壁２ｄは第二壁部の一例であり、下壁２ｈは、第三壁部の一例である。
【００１２】
図１，２等に示されるように、筐体２は、一例としては、前面２ａ側のフロントマスク（第一部品）２Ｍや、後面２ｃ側のバックカバー（第二部品）２Ｃ等の分割体を組み合わせて構成される。また、筐体２は、例えば、合成樹脂材料や、金属材料、あるいはこれらの組み合わせ等で構成することができる。
【００１３】
また、筐体２は、上端部（上辺部）２ｋ、下端部（下辺部）２ｍ、および側端部（側辺部）２ｎを有し、四つの角部２ｐを有する。前面２ａ、後面２ｃ、上面２ｅ、下面２ｇ、および側面２ｉは、面部の一例である。
【００１４】
また、図２，８等に示されるように、筐体２の後面２ｃ（後壁２ｄ）には、例えばその下部の左右方向の中央部に、スタンド１０に取り付けられる結合部（突出部、接続部）１１が設けられている。結合部１１は、例えば、図８に示すように、筐体２内の支持部２ｓ（フレーム部、骨格部）に取り付けられるベース部１１ａと、ベース部１１ａから突出して貫通孔１１ｄが設けられた取付部１１ｂと、ベース部１１ａおよび取付部１１ｂを覆うカバー部１１ｃと、を有する。取付部１１ｂは、回動支持部（可動支持部、接続部）３の可動部３ａに、ねじ等の結合具１２を介して取り付けられる。可動部（回動部、被支持部、嵌部）３ｂ（すなわち、回動支持部３、スタンド１０）に取付部１１ｂ（すなわち、筐体２、表示装置６）が接続された後、カバー部１１ｃが取り付けられる。
【００１５】
また、図８等に示されるように、筐体２内には、表示装置（表示部、表示モジュール、モジュール）６が収容されている。すなわち、表示装置６は、前壁２ｂと後壁２ｄとの間に位置され、かつ側壁２ｊに囲まれた状態に設けられている。表示装置６は、正面視で矩形状（Ｘ方向に長くＹ方向に短い横長の長方形状）の外観を呈している。表示装置６は、前後方向（Ｚ方向）に比較的薄い直方体状に形成されている。また、表示装置６の前面（表面）の一部には、正面視で矩形状（Ｘ方向に長くＹ方向に短い横長の長方形状）の表示画面６ａが、設けられている。この表示画面６ａは、筐体２の前壁２ｂ（前面２ａ）に設けられた開口部２ｒから、前方に露出している。表示画面６ａの反対側には後面６ｂが位置されている。この表示装置６は、例えば、液晶ディスプレイ（ＬＣＤ：liquid  crystal  display）や、有機ＥＬディスプレイ（ＯＥＬＤ：organic  electroluminescent  display）等のパネル（パネルユニット）として構成することができる。
【００１６】
また、筐体２内には、回路基板（基板、基板部、制御基板、プリント基板）９が収容されている。回路基板９は、例えば、表示装置６の後面（裏面、背面）６ｂ上に、ねじ等の結合具（図示せず）を介して固定されている（取り付けられている）。後面６ｂ上には、ボス部（突出部、ねじ止め部、図示せず）が設けられ、このボス部上に、回路基板９が、ねじ等の結合具を用いて取り付けられている。回路基板９には、電子部品や、電気部品等の各種部品（図示せず）が設けられ、映像処理回路や、入力信号処理回路、フレームレートコンバータ（ＦＲＣ）回路、タイミングコントロール（Ｔｃｏｎ）回路、ドライバ回路、制御回路等（図示せず）が構成されうる。また、回路基板９あるいは後面６ｂ上には、ＨＤＤ（Hard  Disk  Drive）やＳＳＤ（Solid  State  Drive）等の記憶装置（記憶ユニット、記憶モジュール、モジュール）や、ファンユニット（ファン装置、冷却ユニット、冷却部品）、電源回路（電源装置、電源ユニット）等（図示せず）が、設けられうる。
【００１７】
図１０〜２１等に示されるように、スタンド１０は、一例として、二つの支持部４Ｌ，４Ｒと、これら二つの支持部４Ｌ，４Ｒに支持されて筐体２を回動可能に支持する回動支持部３と、を有する。回動支持部３は、支持部４Ｌ，４Ｒと筐体２との間に介在された接続部の一例である。スタンド１０は、一例としては、金属部材（例えば、アルミニウム合金等）によって構成することができる。また、スタンド１０は、可動部３ａや、取り付けられた部品等を除き、鋳造（例えば、アルミニウムダイキャスト等）によって構成することができる。
【００１８】
支持部４Ｌは、表示画面６ａ（図１，３等参照）に対する正面視で、左側に設けられている。支持部４Ｌは、円柱状に形成された回動支持部３から下方に延びた第一部分４１Ｌおよび第二部分４２と、これら第一部分４１Ｌと第二部分４２との間に亘る亘り部４４と、を有する。第一部分４１Ｌおよび第二部分４２は、起立部の一例である。
【００１９】
第一部分（前側支持部、前部、第一脚部）４１Ｌは、略矩形状の断面を有し、回動支持部３の中心（重心、回動軸Ａｘ）より前側の前端部（端部）３ｂに接続された基端部（上端部、端部）４１Ｌａから、正面視（図３，１２の視線）での左方、前方、かつ下方に位置した先端部（下端部、端部）４１Ｌｂに向けて延びている。また、第一部分４１Ｌは、円弧状（曲線状）に形成されている。先端部４１Ｌｂは、亘り部４４の端部（外側端部）４４ａと接続されている。なお、第一部分４１Ｌは、一例としては中実である。
【００２０】
第二部分（後側支持部、後部、第二脚部）４２は、矩形状の断面を有し、回動支持部３の側端部（端部）３ｃに接続された基端部（上端部、端部）４２ａから、正面視での左方、後方、かつ下方に位置した先端部（下端部、端部）４２ｂに向けて延びている。先端部４２ｂは、亘り部４４の端部（内側端部）４４ｂと接続されている。なお、第二部分４２は、一例としては中実である。
【００２１】
亘り部４４は、第一部分４１Ｌの先端部４１Ｌｂと、第二部分４２の先端部４２ｂとを接続し、これらの間に亘って、支持部４Ｌの下端に沿って設けられている。亘り部４４は、端部４４ａと端部４４ｂとの間で円弧状（曲線状）に設けられている。すなわち、亘り部４４は、円弧状に屈曲している。本実施形態では、図１０，１１，１４，１５等に示されるように、亘り部４４は、回動支持部３から離間する側に、すなわち筐体２から離間する側に凸となる状態に、屈曲している。なお、亘り部４４の裏面４４ｃには、図１５等に示されるように、複数の凹部４４ｄが設けられ、これにより、端部４４ａと端部４４ｂとの間に、三角形が連ねて配置されたトラス構造が介在している。これらトラス構造により、所要の剛性および強度を得る構成をより軽量に構成することができる。なお、トラス構造に替えて、六角形が連ねて(密集した)配置されたハニカム構造を用いてもよい。また、亘り部４４は、一例としては、中実である。
【００２２】
支持部４Ｒは、表示画面６ａの中心を通るＹＺ平面Ｃ（図１４参照）について、支持部４Ｌと面対称（左右対称）である。すなわち、支持部４Ｌと支持部４Ｒとは、鏡像関係にある。
【００２３】
すなわち、支持部４Ｒは、表示画面６ａに対する正面視で、右側に設けられている。支持部４Ｒは、円柱状に形成された回動支持部３から下方に延びた第一部分４１Ｒおよび第二部分４３と、これら第一部分４１Ｒと第二部分４３との間に亘る亘り部４５と、を有する。
【００２４】
第一部分（前側支持部、前部、第一脚部）４１Ｒは、矩形状の断面を有し、回動支持部３の中心（重心、回動軸Ａｘ）より前側の前端部（端部）３ｂに接続された基端部（上端部、端部）４１Ｒａから、正面視（図３，１２の視線）での右方、前方、かつ下方に位置した先端部（下端部、端部）４１Ｒｂに向けて延びている。また、第一部分４１Ｒは、円弧状（曲線状）に形成されている。先端部４１Ｒｂは、亘り部４５の端部（外側端部）４５ａと接続されている。なお、第一部分４１Ｒは、一例としては中実である。
【００２５】
第二部分（後側支持部、後部、第二脚部）４３は、矩形状の断面を有し、回動支持部３の側端部（端部）３ｃに接続された基端部（上端部、端部）４３ａから、正面視での右方、後方、かつ下方に位置した先端部（下端部、端部）４３ｂに向けて延びている。先端部４３ｂは、亘り部４５の端部（内側端部）４５ｂと接続されている。なお、第二部分４３は、一例としては中実である。
【００２６】
亘り部４５は、第一部分４１Ｒの先端部４１Ｒｂと、第二部分４３の先端部４３ｂとを接続し、これらの間に亘って、支持部４Ｒの下端部に沿って設けられている。亘り部４５は、端部４５ａと端部４５ｂとの間で円弧状（曲線状）に設けられている。すなわち、亘り部４５は、円弧状に屈曲している。本実施形態では、図１０，１１，１４，１５等に示されるように、亘り部４５は、回動支持部３から離間する側に、すなわち筐体２から離間する側に凸となる状態に、屈曲している。なお、亘り部４５の裏面４５ｃには、複数の凹部４５ｄが設けられ、これにより、端部４５ａと端部４５ｂとの間に、三角形が連ねて配置されたトラス構造が介在している。これらトラス構造により、所要の剛性および強度を得る構成をより軽量に構成することができる。なお、トラス構造に替えて、六角形が連ねて(密集した)配置されたハニカム構造を用いてもよい。また、亘り部４５は、一例としては、中実である。
【００２７】
また、図１０，１４，１５等に示されるように、本実施形態では、支持部４Ｌの第一部分４１Ｌと、支持部４Ｒの第一部分４１Ｒとが、回動支持部３の前端部３ｂへの接続部分（すなわち、基端部４１Ｌａ，４１Ｒａ）で滑らかに接続されている（接している）。一例としては、第一部分４１Ｌの基端部４１Ｌａでの接線と、第一部分４１Ｒの端部４１Ｒａでの接線とが、同一である。さらに、本実施形態では、一例として、第一部分４１Ｌの曲率半径と第一部分４１Ｒの曲率半径とが同一である。すなわち、本実施形態では、第一部分４１Ｌおよび第一部分４１Ｒによって、一連の円弧状の脚部（前側脚部、第一脚部、足部、アーム部、起立部、縁部、端部）４１が構成されている。
【００２８】
そして、図１２等に示されるように、脚部４１は、平面Ｐからアーチ状に起立している。すなわち、先端部４１Ｌｂ，４１Ｒｂが下端部かつ側端部となり、基端部４１Ｌａ，４１Ｒａが上端部かつ中央部となって、脚部４１は、上方に向けて円弧状に膨らんでいる。すなわち、この脚部４１は、図１６に示されるように、ＸＹ平面をＸ軸回りに所定角度倒した（図１６の反時計回り方向に回動させた）平面Ｐｃに沿っている。なお、本実施形態では，脚部４１（第一部分４１Ｌ，４１Ｒ）の上面４１ａが、平面Ｐｃに沿っている。
【００２９】
このような構成の支持部４Ｌ，４Ｒを有するスタンド１０は、少なくとも四つの端部１０ａ，１０ｂ，１０ｃ，１０ｄが、平面Ｐ（載置面）との載置点（接触点、支持点、載置部分、載置部、載置面、面部）となる。図５に示されるように、載置点としての端部１０ａは、筐体２（の重心Ｇ）に対して、前方かつ正面視で左方の領域（図５では左上の領域、第一位置）Ａ１に配置され、載置点としての端部１０ｂは、筐体２（の重心Ｇ）に対して、前方かつ正面視で右方の領域（図５では左下の領域、第一位置）Ａ２に配置されている。また、載置点としての端部１０ｃは、筐体２（の重心Ｇ）に対して、後方かつ正面視で左方の領域（図５では右上の領域、第二位置）Ａ３に配置され、載置点としての端部１０ｄは、筐体２（の重心Ｇ）に対して、後方かつ正面視で右方の領域（図５では右下の領域、第二位置）Ａ４に、配置されている。したがって、スタンド１０は、筐体２を含む映像表示装置１を、前後左右により安定的に支持することができる。また、本実施形態では、回動支持部３に接続された第一部分４１Ｌ，４１Ｒおよび第二部分４２，４３の基端部（端部）４１Ｌａ，４１Ｒａ，４２ａ，４３ａが、第二端部の一例である。
【００３０】
さらに、本実施形態では、図１４，１５等に示されるように、亘り部４４，４５が、筐体２（重心）から離れる方向に凸となる状態（張り出す状態）に屈曲されている。よって、スタンド１０は、この屈曲部分が無い場合に比べて、筐体２を含む映像表示装置１を、亘り部４４，４５が張り出す方向により安定的に支持することができる。
【００３１】
そして、支持部４Ｌは、図１２，１７等に示されるように、第一位置Ａ１と第二位置Ａ３との間で亘る亘り部４４と、第一部分４１Ｌおよび第二部分４２（および亘り部４４の上部）で囲まれた開口部（第二開口部）４ａが設けられた起立部としての第一部分４１Ｌおよび第二部分４２と、を有し、回動支持部３を、平面Ｐ上に載置された場合に当該平面Ｐから離れた状態（間隔、隙間、空間、をあけて離間した状態、浮いた状態）に、支持している。開口部４ａは、筐体２（の下壁２ｈ）と対向している。
【００３２】
また、支持部４Ｒは、第一位置Ａ２と第二位置Ａ４との間で亘る亘り部４５と、第一部分４１Ｒおよび第二部分４３（および亘り部４５の上部）で囲まれた開口部（第二開口部）４ａが設けられた起立部としての第一部分４１Ｒおよび第二部分４３と、を有し、回動支持部３を、平面Ｐ上に載置された場合に平面Ｐから離れた状態（間隔、隙間、空間、をあけて離間した状態、浮いた状態）に、支持している。
【００３３】
よって、本実施形態では、支持部４Ｌ，４Ｒによって、回動支持部３と平面Ｐとの間（回動支持部３の下側）に、空間（隙間）を形成することができる。
【００３４】
そして、本実施形態にかかるスタンド１０は、図１８に示されるように、仮に、第二部分４３（網掛け領域）が機能不全であっても、載置点としての端部１０ｄは、回動支持部３に、第一部分４１Ｒおよび亘り部４５を介して接続されている。また、図１９に示されるように、仮に、第一部分４１Ｒ（網掛け領域）が機能不全であっても、載置点としての端部１０ｂは、回動支持部３に、第二部分４３および亘り部４５を介して接続されている。なお、図１８，１９には、正面視で右側の第一部分４１Ｒまたは第二部分４３が機能不全であった場合が例示されるが、正面視で左側の第一部分４１Ｌまたは第二部分４２が機能不全であった場合も同様である。
【００３５】
また、本実施形態にかかるスタンド１０は、図２０に示されるように、仮に、第二部分４２，４３の双方（網掛け領域）が機能不全であっても、載置点としての端部１０ｃ，１０ｄは、回動支持部３に、亘り部４４，４５および第一部分４１Ｌ，４１Ｒを介して接続されている。また、図２１に示されるように、仮に、第一部分４１Ｌ，４１Ｒの双方（網掛け領域）が機能不全であっても、載置点としての端部１０ｃ，１０ｄは、回動支持部３に、第二部分４２，４３および亘り部４４，４５を介して接続されている。
【００３６】
このように、本実施形態にかかるスタンド１０は、仮に、第一部分４１Ｌ，４１Ｒおよび第二部分４２，４３のうちいずれか一つが機能不全である場合、または、第一部分４１Ｌ，４１Ｒの双方、または第二部分４２，４３の双方が機能不全である場合にあっても、第一部分４１Ｌ，４１Ｒ、第二部分４２，４３、および亘り部４４，４５の各部同士の接続部分で所要の剛性が確保されれば、機能不全となっている第一部分４１Ｌ，４１Ｒおよび第二部分４２，４３が無い状態と、載置点が変わらない。よって、本実施形態によれば、スタンド１０は、筐体２すなわち映像表示装置１をより安定的に支持することができる。
【００３７】
また、本実施形態では、支持部４Ｌ，４Ｒに開口部４ａが設けられたため、人が運搬する際にスタンド１０を持ちやすいという利点がある。また、開口部４ａが無い場合に比べて、スタンド１０をより軽量に構成することができる。また、スタンド１０の上面４ｃの面積をより減らすことができるので、当該上面４ｃによる光の反射を抑制することができる。また、スタンド１０上への塵芥（ちり、ごみ、ほこり等）が載る（積もる）量を減らすことができる。
【００３８】
また、本実施形態では、図３，１２等に示されるように、スタンド１０によって、接続部としての回動支持部３が平面Ｐに載置されず、回動支持部３の下方には空間（領域）Ｓが存在し、当該回動支持部３が平面Ｐから離れた状態に支持されている。よって、回動支持部３がより下方に位置した場合に比べて、回動支持部３によって支持される筐体２を含む可動部分の質量、ならびに回動支持部３による支持点からのモーメントアームを減らすことができ、当該可動部分が振れにくくなるという利点がある。また、空間Ｓは、例えば、リモートコントローラや、ＣＤ（compact  disk）やＤＶＤ（digital  Versatile  disk）等のディスク等の物品や部品等の置き場所として、利用することができる。また、空間Ｓを設けたことで、この空間Ｓや、その周囲、筐体２の裏側等を、掃除しやすくなるという利点もある。
【００３９】
また、図９に示されるように、支持部４Ｌ，４Ｒの脚部（前側脚部、第一脚部、足部、アーム部、起立部、縁部、端部）４１を前側の開口縁として、前方に開放された空間Ｓが形成されているため、この空間Ｓに、別の映像表示装置１のスタンド１０の後部を挿入して、複数の映像表示装置１を、より近接した状態（密な状態）で前後方向に重ねることができる。
【００４０】
また、図３に示すように、スタンド１０の長さＬは、筐体２の幅Ｗかあるいは高さＨより同じかあるいはより小さいのが好適である。本実施形態では、長さＬは、幅Ｗおよび高さＨより小さい。よって、製品運搬時に映像表示装置１が収容される（梱包される）箱の中に、筐体２とともにスタンド１０も収容しやすくなる。
【００４１】
ここで、接続部としての回動支持部３は、図１７に示されるように、可動部（回動部、結合部、嵌部、円柱部）３ａと、固定部（支持部、円筒部）３ｅと、滑り部材（潤滑部材）３ｆと、を有する。固定部３ｅには、可動部３ａを収容する上下方向に延びた円筒状の収容部（受け部）３ｇが設けられ、その上下方向中間部には、周面から内周側に張り出す張出部３ｈが設けられている。可動部３ａは、上側の第一部材（上側部材、部材、分割体）３ｉと、この第一部材３ｉにねじや六角穴付きボルト等の固定具３ｊによって接続され固定された下側の第二部材（下側部材、部材、分割体）３ｋと、を有する。滑り部材３ｆは、張出部３ｈに対して、上側、内周側、および下側の三方に位置され、張出部３ｈと可動部３ａ（第一部材３ｉまたは第二部材３ｋ）との間に介在される。滑り部材３ｆとしては、摩擦係数が比較的低い合成樹脂材料が用いられる。また、滑り部材３ｆの外面（摺面）には、孔や溝等の凹部（開口部）が設けられうる。その場合、凹部が、グリス等の潤滑剤の保持部として機能する。そして、回動支持部３の固定部３ｅは、スタンド１０に一体化されている。また、可動部３ａの上面（結合面、接続面）には、結合部１１の取付部１１ｂに設けられた貫通孔１１ｄ（図８参照）を貫通された結合具１２を取り付ける雌ねじ孔等の取付孔３ｍが設けられている。可動部３ａは、回動支持部３の中心軸としての回動軸Ａｘ回りに所定の角度範囲内で回動する。なお、固定具３ｊは、空間Ｓ側に露出されており、当該空間Ｓから取り付けおよび取り外し（メンテナンス）を行うことも可能である。
【００４２】
また、図１４，１５，１７等に示されるように、回動支持部３の前端部３ｂの前方では、二つの第一部分４１Ｌ，４１Ｒが、回動支持部３から側方（前方）へ張り出した状態で接続されている。これにより、回動支持部３の固定部３ｅの周壁３ｎと、脚部４１（第一部分４１Ｌ，４１Ｒ、支持部４Ｌ，４Ｒ）との接続部分をより広く（長く）することができ、回動支持部３と脚部４１（支持部４Ｌ，４Ｒ）との接続部分における応力をより低減することができる。
【００４３】
また、図１３に示されるように、本実施形態では、回動支持部３の周壁３ｎの後部３ｐに、映像表示装置１を固定するための固定具（留め具）７，８が、一つのねじ等の結合具１２によって、取り付けられている（固定されている）。すなわち、二つの固定具７，８を取り付ける（固定する）結合具１２が共用化されている。固定具７は、例えば合成樹脂材料等で形成されたバンドである。固定具７は、一定幅で帯状に形成され、その長手方向に沿って、ねじや結束バンド等の固定具（図示せず）を貫通させうる複数の貫通孔７ａが、略一定間隔で並べて設けられている。また、固定具８は、周壁３ｎに沿って上下に細長いベース部８ａと、ベース部８ａの端部（先端部、下端部）から突出した突出部（起立部、結合部、取付部）８ｂと、を有する。ベース部８ａには、結合具１２が貫通する長穴状の開口部（スリット、ガイド）８ｃが設けられている。突出部８ｂには、ねじや結束バンド等の固定具（図示せず）を貫通させうる貫通孔８ｄが設けられている。結合具１２を緩めることで、固定具８は下方へ移動し、突出部８ｂを設置面（設置部、図示せず）に接触させることができる。固定具８に対応する設置面の高さは設置場所によって異なる場合があるため、このように固定具８をスタンド１０に移動可能に構成したことで、固定具８をより確実に設置面に固定することができる。また、非使用時には、固定具８の少なくとも一部（本実施形態では全部）を引き上げた状態で結合具１２によって回動支持部３に固定することで、正面視で回動支持部３の背後に隠すことができる。
【００４４】
また、図１３〜１５等に示されるように、起立部分としての第二部分４２，４３の先端部４２ｂ，４３ｂの下面（裏面、背面）４２ｃ，４３ｃには、切欠状の凹部４２ｄ，４３ｄが設けられている。そして、この凹部４２ｄ，４３ｄには、線材通し具（線材留め具、リング部材）１３が、ねじ等の結合具１２によって取り付けられている。線材通し具１３の先端部には、ワイヤやバンド等の線材を貫通させうるリング部（環状部、巻回部）１３ａが設けられている。このリング部１３ａを挿通させた線材を利用して、映像表示装置１を固定することができる。この凹部４２ｄ，４３ｄを設けた部分を、過大な外力（荷重）が作用した際に屈曲、変形、破断等の起点となる脆弱部（易変形部）として用いることができる。
【００４５】
以上の本実施形態では、開口部４ａを有した支持部４Ｌ，４Ｒで、回動支持部３を、平面Ｐ上に載置された場合に当該平面Ｐから離れた状態に、支持することができる。よって、回動支持部３が上方に位置された際に、支持部４Ｌ，４Ｒに開口部４ａが設けられた分、例えば、軽量化や、持ちやすさ、映り込み抑制等の効果のうち少なくとも一つが得られやすい。
【００４６】
また、本実施形態では、亘り部４４，４５は、支持部４Ｌ，４Ｒの下端部に沿って設けられている。よって、亘り部４４，４５が下端部に無い場合に比べて、筐体２を含む映像表示装置１を、より安定的に支持することができる。
【００４７】
また、本実施形態では、亘り部４４，４５は屈曲している。よって、亘り部４４，４５が屈曲していない場合に比べて、筐体２を含む映像表示装置１を、より安定的に支持することができる。
【００４８】
また、本実施形態では、亘り部４４，４５は、回動支持部３から離間する側に凸となる状態に屈曲する部分を有している。所要の剛性が確保された状態では、支持部４Ｌ，４Ｒは、筐体２（の重心）から離れた位置で支持するほど、より安定的な支持状態が得られる。この点、本実施形態では、亘り部４４，４５は、回動支持部３から離間する側に凸となる状態に屈曲する部分を有しているため、筐体２を含む映像表示装置１を、より安定的に支持することができる。
【００４９】
また、本実施形態では、開口部４ａを挟んで第一部分４１Ｌ，４１Ｒと第二部分４２，４３とを有し、第一部分４１Ｌ，４１Ｒおよび第二部分４２，４３のうち一方が、表示画面６ａに対する正面視で他方より左側または右側に位置された部分を有した。すなわち、第一部分４１Ｌ，４１Ｒと、第二部分４２，４３とが、正面視で左右にずれて配置されているため、筐体２を含む映像表示装置１を、左右方向により安定的に支持することができる。
【００５０】
また、本実施形態では、複数の支持部４Ｌ，４Ｒを備えた。よって、支持部が一つである場合に比べて、筐体２を含む映像表示装置１を、より安定的に支持することができる。
【００５１】
また、本実施形態では、複数の支持部４Ｌ，４Ｒのうちの一つが、表示画面６ａに対する正面視で他の一つより左側または右側に位置された。よって、左右にずれて配置された複数の支持部４Ｌ，４Ｒによって、筐体２を含む映像表示装置１を、より安定的に支持することができる。
【００５２】
＜変形例＞
図２２〜３０は、本実施形態の変形例にかかるスタンド１０Ａ〜１０Ｉの平面図である。図２２〜３０の各図中、載置点および載置点と略同じ高さにある領域には、便宜上、ドットパターンが付与されている。各構成で、支持部、第一部分、および第二部分は、ドットパターンで示された領域から回動支持部３に接続される基端部（端部）へ向けて斜め上方または上方へ延びている。各変形例にかかるスタンド１０Ａ〜１０Ｉは、上記第１実施形態にかかるスタンド１０に替えて使用することができる。
【００５３】
図２２の変形例にかかるスタンド１０Ａにおいて、支持部４ＡＬは、第一部分４１Ｌと、第二部分４２と、亘り部４４Ａと、を有する。また、支持部４ＡＲは、第一部分４１Ｒと、第二部分４３と、亘り部４５Ａと、を有する。すなわち、本変形例にかかるスタンド１０Ａは、亘り部４４Ａ，４５Ａの形状が、上記第１実施形態と相違している。本変形例にかかる亘り部４４Ａ，４５Ａは、筐体２（の重心Ｇ）および回動支持部３から離間する方向に凸となる形状の屈曲部４ｂを有している。さらに、この亘り部４４Ａ，４５Ａは、前後方向（Ｚ方向）および左右方向（Ｘ方向）に沿った部分を有している。本変形例でも、四つの端部１０ａ〜１０ｄの配置は同様である。すなわち、載置点としての端部１０ａは、筐体２に対して、前方かつ正面視で左方の領域（第一位置）Ａ１に配置され、載置点としての端部１０ｂは、筐体２に対して、前方かつ正面視で右方の領域（第一位置）Ａ２に配置されている。また、載置点としての端部１０ｃは、筐体２に対して、後方かつ正面視で左方の領域（第二位置）Ａ３に配置され、載置点としての端部１０ｄは、筐体２に対して、後方かつ正面視で右方の領域（第二位置）Ａ４に、配置されている。したがって、スタンド１０Ａは、筐体２を含む映像表示装置１を、前後左右により安定的に支持することができる。さらに、本変形例では、亘り部４４Ａ，４５Ａが屈曲部４ｂを有する分、前後方向および左右方向の双方について、筐体２を含む映像表示装置１を、より一層安定的に支持することができる。
【００５４】
図２３の変形例にかかるスタンド１０Ｂにおいて、支持部４ＢＬは、第一部分４１Ｌと、第二部分４２Ｂと、亘り部４４Ｂと、を有する。また、支持部４ＢＲは、第一部分４１Ｒと、第二部分４３Ｂと、亘り部４５Ｂと、を有する。すなわち、本変形例にかかるスタンド１０Ｂは、第二部分４２Ｂ，４３Ｂおよび亘り部４４Ｂ，４５Ｂの形状が、上記第１実施形態と相違している。本変形例にかかる第二部分４２Ｂ，４３Ｂは、第一部分４１Ｌ，４１Ｒと鏡像関係（面対称）である。また、本変形例にかかる亘り部４４Ｂ，４５Ｂは、端部１０ａ，１０ｃ間または端部１０ｂ，１０ｄ間を、前後方向に沿って直線状に延びている。本変形例でも、四つの端部１０ａ〜１０ｄの配置は同様である。すなわち、載置点としての端部１０ａは、筐体２に対して、前方かつ正面視で左方の領域（第一位置）Ａ１に配置され、載置点としての端部１０ｂは、筐体２に対して、前方かつ正面視で右方の領域（第一位置）Ａ２に配置されている。また、載置点としての端部１０ｃは、筐体２に対して、後方かつ正面視で左方の領域（第二位置）Ａ３に配置され、載置点としての端部１０ｄは、筐体２に対して、後方かつ正面視で右方の領域（第二位置）Ａ４に、配置されている。したがって、スタンド１０Ｂは、筐体２を含む映像表示装置１を、前後左右により安定的に支持することができる。すなわち、本変形例でも、上記第１実施形態と同様の効果が得られる。
【００５５】
図２４の変形例にかかるスタンド１０Ｃにおいて、支持部４ＣＬは、第一部分４１ＣＬと、第二部分４２Ｃと、亘り部４４Ｃと、を有する。また、支持部４ＣＲは、第一部分４１ＣＲと、第二部分４３Ｃと、亘り部４５Ｃと、を有する。本変形例にかかる第一部分４１ＣＬ，４１ＣＲと第二部分４２Ｃ，４３Ｃとは、鏡像関係（面対称）に形成され、いずれも、比較的小さい曲率半径の円弧状に形成されている。また、亘り部４４Ｃ，４５Ｃも含めて、支持部４ＣＬ，４ＣＲともに、回動支持部３の中心を通るＸＹ平面について、面対称に形成されている。そして、亘り部４４Ｃ，４５Ｃは、筐体２（の重心Ｇ）および回動支持部３から離間する方向（本変形例ではＹ方向）に凸となる形状の屈曲部４ｂを有している。本変形例でも、四つの端部１０ａ〜１０ｄの配置は同様である。すなわち、載置点としての端部１０ａは、筐体２に対して、前方かつ正面視で左方の領域（第一位置）Ａ１に配置され、載置点としての端部１０ｂは、筐体２に対して、前方かつ正面視で右方の領域（第一位置）Ａ２に配置されている。また、載置点としての端部１０ｃは、筐体２に対して、後方かつ正面視で左方の領域（第二位置）Ａ３に配置され、載置点としての端部１０ｄは、筐体２に対して、後方かつ正面視で右方の領域（第二位置）Ａ４に、配置されている。したがって、スタンド１０Ｃは、筐体２を含む映像表示装置１を、前後左右により安定的に支持することができる。すなわち、本変形例でも、上記第１実施形態と同様の効果が得られる。
【００５６】
図２５の変形例にかかるスタンド１０Ｄにおいて、支持部４ＤＬは、第一部分４１Ｌと、第二部分４２Ｄと、亘り部４４Ｄと、を有する。また、支持部４ＤＲは、第一部分４１Ｒと、第二部分４２Ｄと、亘り部４５Ｄと、を有する。すなわち、本変形例では、二つの支持部４ＤＬ，４ＤＲで、第二部分４２Ｄが共用されている。そして、本変形例では、載置点としての端部１０ａは、筐体２に対して、前方かつ正面視で左方の領域（第一位置）Ａ１に配置され、載置点としての端部１０ｂは、筐体２に対して、前方かつ正面視で右方の領域（第一位置）Ａ２に配置されている。また、載置点としての端部１０ｅは、筐体２に対して、後方かつ正面視で左方の領域（第二位置）Ａ３と後方かつ正面視で右方の領域（第二位置）Ａ４との境界部分に位置されている。そして、載置点と略同じ高さの亘り部４４Ｄ，４５Ｄが、領域Ａ３，Ａ４から、前方かつ左右両側の領域Ａ１，Ａ２に延びている。したがって、スタンド１０Ｄは、筐体２を含む映像表示装置１を、前後左右により安定的に支持することができる。すなわち、本変形例でも、上記第１実施形態と同様の効果が得られる。
【００５７】
図２６の変形例にかかるスタンド１０Ｅにおいて、支持部４ＥＬは、第一部分４１ＥＬと、第二部分４２Ｅと、亘り部４４Ｅと、を有する。また、支持部４ＥＲは、第一部分４１ＥＲと、第二部分４２Ｅと、亘り部４５Ｅと、を有する。すなわち、本変形例でも、二つの支持部４ＥＬ，４ＥＲで、第二部分４２Ｅが共用されている。本変形例にかかるスタンド１０Ｅは、図２５の変形例にかかるスタンド１０Ｄの各部を直線的に構成したものであるが、領域Ａ１〜Ａ４に対する各部の配置は同様であるため、図２５の変形例と同様の効果が得られる。すなわち、本変形例でも、上記第１実施形態と同様の効果が得られる。さらに、本変形例では、亘り部４４Ｅ，４５Ｅが屈曲部４ｂを有する分、筐体２を含む映像表示装置１を、より一層安定的に支持することができる。
【００５８】
図２７の変形例にかかるスタンド１０Ｆにおいて、支持部４ＦＬは、第一部分４１Ｌと、第二部分４２Ｆと、亘り部４４Ｆと、を有する。また、支持部４ＦＲは、第一部分４１Ｒと、第二部分４３Ｆと、亘り部４５Ｆと、を有する。ただし、本変形例では、亘り部４４Ｆ，４５Ｆは、第二部分４２Ｆ，４３Ｆと接続されていない（繋がっていない）。すなわち、第二部分４２Ｆの先端部４２Ｆｂと、亘り部４４Ｆの端部（内側端部）４４Ｆａとが隙間をあけて離間し、第二部分４３Ｆの先端部４３Ｆｂと、亘り部４５Ｆの端部（内側端部）４５Ｆａとが、隙間をあけて離間している。しかしながら、領域Ａ１，Ａ２から延びた亘り部４４Ｆ，４５Ｆの端部（内側端部）４４Ｆａ，４５Ｆａが領域Ａ３および領域Ａ４に位置しているため、仮に、第二部分４２Ｆ，４３Ｆが機能不全であっても、領域Ａ３，Ａ４に位置した端部（内側端部）４４Ｆａ，４５Ｆａが、第一部分４１Ｌ，４１Ｒを介して回動支持部３に接続されている。よって、本変形例によれば、スタンド１０Ｆは、筐体２すなわち映像表示装置１を、より安定的に支持することができる。
【００５９】
図２８の変形例にかかるスタンド１０Ｇにおいて、支持部４ＧＬは、第一部分４１Ｌと、第二部分４２Ｇと、亘り部４４Ｇと、を有する。また、支持部４ＧＲは、第一部分４１Ｒと、第二部分４３Ｇと、亘り部４５Ｇと、を有する。ただし、本変形例では、亘り部４４Ｇ，４５Ｇは、第一部分４１Ｌ，４１Ｒとは接続されていない（繋がっていない）。すなわち、第一部分４１Ｌの先端部４１Ｌｂと、亘り部４４Ｇの端部（外側端部）４４Ｇｂとが、隙間をあけて離間し、第一部分４１Ｒの先端部４１Ｒｂと、亘り部４５Ｇの端部（外側端部）４５Ｇｂとが、隙間をあけて離間している。しかしながら、領域Ａ３，Ａ４から延びた亘り部４４Ｇ，４５Ｇの端部（外側端部）４４Ｇｂ，４５Ｇｂが領域Ａ１，Ａ２まで進出しているため、仮に、第一部分４１Ｌ，４１Ｒが機能不全であっても、領域Ａ１，Ａ２に位置した端部（外側端部）４４Ｇｂ，４５Ｇｂが、端部１０ｃ，１０ｄおよび第二部分４２Ｇ，４３Ｇを介して、回動支持部３に接続されている。よって、本変形例によれば、スタンド１０Ｇは、筐体２すなわち映像表示装置１を、より安定的に支持することができる。
【００６０】
図２９の変形例にかかるスタンド１０Ｈは、第一部分４１Ｌ，４１Ｒと、第二部分４２Ｈと、を有し、亘り部は有していない。この変形例でも、回動支持部３が、平面Ｐ上に載置された場合に当該平面Ｐから離れた状態に支持され、それによる利点が得られる。また、図３０にかかるスタンド１０Ｉも、第一部分４１ＩＬ，４１ＩＲと、第二部分４２Ｉと、を有し、亘り部は有していない。この変形例でも、回動支持部３が、平面Ｐ上に載置された場合に当該平面Ｐから離れた状態に支持され、それによる利点が得られる。
【００６１】
以上、本発明の好適な実施形態について説明したが、本発明は上記実施形態には限定されず、種々の変形が可能である。本発明は、例えば、チューナ等の無いディスプレイ装置等、テレビジョン装置以外の映像表示装置、あるいは電子機器として、実施することも可能である。第一部分、第二部分、および亘り部は、脚状や棒状等に構成しなくても良い。また、亘り部の少なくとも一部は、平面上に載置された際に当該平面から離間した状態に、構成することができる。
【００６２】
また、映像表示装置や、筐体、第一壁部、第二壁部、第一開口部、表示装置、接続部、回動支持部、支持部、第二開口部、第一端部、第二端部、第一部分、第二部分、亘り部、等のスペック（構造や、形状、大きさ、長さ、幅、厚さ、高さ、数、配置、位置、材質等）は、適宜変更して実施することができる。
【００６３】
実施形態によれば、より不都合の少ない状態で回動支持部をより上方に位置させることが可能な映像表示装置を得ることができる。
【符号の説明】
【００６４】
１…映像表示装置（電子機器）、２…筐体、２ｂ…前壁（第一壁部）、２ｄ…後壁（第二壁部）、２ｊ…側壁（第三壁部）、２ｒ…開口部（第一開口部）、３…回動支持部（接続部）、４Ｌ，４ＡＬ，４ＢＬ，４ＣＬ，４ＤＬ，４ＥＬ，４ＦＬ，４ＧＬ，４Ｒ，４ＡＲ，４ＢＲ，４ＣＲ，４ＤＲ，４ＥＲ，４ＦＲ，４ＧＲ…支持部、４ａ…開口部（第二開口部）、６…ディスプレイパネル（表示装置）、６ａ…表示画面、１０ａ，１０ｂ，１０ｃ，１０ｄ…端部（第一端部）、４１Ｌａ，４１Ｒａ，４２ａ，４３ａ…基端部（第二端部）、４１Ｌ，４１ＣＬ，４１ＥＬ，４１ＪＬ，４１Ｒ，４１ＣＲ，４１ＥＲ，４１ＪＲ…第一部分、４２，４２Ｂ，４２Ｃ，４２Ｄ，４２Ｅ，４２Ｆ，４２Ｇ，４２Ｈ，４２Ｉ，４３，４３Ｂ，４３Ｃ，４３Ｆ，４３Ｇ…第二部分、４４，４４Ａ，４４Ｂ，４４Ｃ，４４Ｄ，４４Ｅ，４４Ｆ，４４Ｇ，４５，４５Ａ，４５Ｂ，４５Ｃ，４５Ｄ，４５Ｅ，４５Ｆ，４５Ｇ…亘り部。
【図１】
0005275497.tif 000002
【図２】
0005275497.tif 000003
【図３】
0005275497.tif 000004
【図４】
0005275497.tif 000005
【図５】
0005275497.tif 000006
【図６】
0005275497.tif 000007
【図７】
0005275497.tif 000008
【図８】
0005275497.tif 000009
【図９】
0005275497.tif 000010
【図１０】
0005275497.tif 000011
【図１１】
0005275497.tif 000012
【図１２】
0005275497.tif 000013
【図１３】
0005275497.tif 000014
【図１４】
0005275497.tif 000015
【図１５】
0005275497.tif 000016
【図１６】
0005275497.tif 000017
【図１７】
0005275497.tif 000018
【図１８】
0005275497.tif 000019
【図１９】
0005275497.tif 000020
【図２０】
0005275497.tif 000021
【図２１】
0005275497.tif 000022
【図２２】
0005275497.tif 000023
【図２３】
0005275497.tif 000024
【図２４】
0005275497.tif 000025
【図２５】
0005275497.tif 000026
【図２６】
0005275497.tif 000027
【図２７】
0005275497.tif 000028
【図２８】
0005275497.tif 000029
【図２９】
0005275497.tif 000030
【図３０】
0005275497.tif 000031